(57)【要約】【課題】  卓球ボールをあらゆる方向から打撃することができ、また卓球ボールの取り換えも容易に行えるようにした卓球ボール打撃具を提供する。【解決手段】  基台２の中央部に円筒状支柱３を立設し、該円筒状支柱３の円筒内に高さ調整用円筒体４を挿通し、該高さ調整用円筒体４内に高弾性円筒体５を挿通し、該高弾性円筒体５内に挿通され上方に突出する高弾性線状体６を設け、上端部に卓球ボール７を上下方向に貫通して保持したプラスチック製の支持棒８を設け、該支持棒８の下端部と前記高弾性線状体６の上端部とを継手９を介して着脱可能に連結する。【選択図】  図１
0003193694.tif 000002
【実用新案登録請求の範囲】
【請求項１】
基台の中央部に円筒状支柱を立設し、該円筒状支柱の円筒内に高さ調整用円筒体を挿通し、該高さ調整用円筒体内に高弾性円筒体を挿通し、該高弾性円筒体内に挿通され上方に突出する高弾性線状体を設け、上端部に卓球ボールを上下方向に貫通して保持したプラスチック製の支持棒を設け、該支持棒の下端部と前記高弾性線状体の上端部とを継手を介して着脱可能に連結してなることを特徴とする卓球ボール打撃具。
【請求項２】
高弾性線状体は、その下端部が高弾性円筒体の下端部まで貫通されている請求項１に記載の卓球ボール打撃具。
【請求項３】
プラスチック製の支持棒は、ゴム硬度が７０〜９０度のウレタン製の棒材からなる請求項１又は２に記載の卓球ボール打撃具。
【請求項４】
継手は抜け止め防止手段を備えたものである請求項１〜３のいずれか１項に記載の卓球ボール打撃具。
【考案の詳細な説明】
【技術分野】
【０００１】
本考案は、一人で簡単に卓球ボールの打撃運動などができる卓球ボール打撃具に関する。
【背景技術】
【０００２】
従来、一人で行うことが可能な卓球練習器として、板バネの先端にボールを設け、板バネの下部を板バネ下部保持具で固定した打球構造部を台のポストに固定して、台をボールが身体の前に来ている状態にして置いて、打球練習とフットワーク練習をするようにしたものがある（特許文献１）。
【０００３】
この場合、板バネを用いており、板バネの搖動方向は一定方向に限られることになる。このため、ボールを打撃できる方向も限られることになり、あらゆる方向にボールを打撃することはできない。
【先行技術文献】
【特許文献】
【０００４】
【特許文献１】特開２０１３−９９３４号公報
【考案の概要】
【考案が解決しようとする課題】
【０００５】
そこで、本考案は、卓球ボールをあらゆる方向から打撃することができ、また卓球ボールの取り換えも容易に行えるようにした卓球ボール打撃具を提供することを目的とする。
【課題を解決するための手段】
【０００６】
上記の課題を解決するために、請求項１に係る考案は、基台の中央部に円筒状支柱を立設し、該円筒状支柱の円筒内に高さ調整用円筒体を挿通し、該高さ調整用円筒体内に高弾性円筒体を挿通し、該高弾性円筒体内に挿通され上方に突出する高弾性線状体を設け、上端部に卓球ボールを上下方向に貫通して保持したプラスチック製の支持棒を設け、該支持棒の下端部と前記高弾性線状体の上端部とを継手を介して着脱可能に連結してなること、を特徴としている。
請求項２に係る考案は、高弾性線状体を、その下端部が高弾性円筒体の下端部まで貫通させたものである。
請求項３に係る考案は、プラスチック製の支持棒を、ゴム硬度が７０〜９０度のウレタン製の棒材としたものである。
請求項４に係る考案は、継手を抜け止め防止手段を備えたものとしたものである。
【考案の効果】
【０００７】
請求項１に係る考案は、基台の中央部に円筒状支柱を立設し、該円筒状支柱の円筒内に高さ調整用円筒体を挿通し、該高さ調整用円筒体内に高弾性円筒体を挿通し、該高弾性円筒体内に挿通され上方に突出する高弾性線状体を設け、上端部に卓球ボールを上下方向に貫通して保持したプラスチック製の支持棒を設け、該支持棒の下端部と前記高弾性線状体の上端部とを継手を介して着脱可能に連結してなるので、卓球ボールはあらゆる方向に搖動することができ、あらゆる方向から打撃することができる。また、卓球ボールを保持する支持棒は継手を介して連結されているので、卓球ボールを保持する支持棒を継手から取り外し、支持棒から卓球ボールを取り換えて、支持棒を再度継手に連結すれば、容易に卓球ボールを取り換えることができる。
請求項２に係る考案は、高弾性線状体の下端部を高弾性円筒体の下端部まで貫通させたので、高弾性円筒体の剛性が高まる。
請求項３に係る考案は、プラスチック製の棒材を、ゴム硬度が７０〜９０度のウレタン製の棒材としたので、適度な弾性をもち、搖動のしなりの具合も良好である。
請求項４に係る考案は、継手を抜け止め防止手段を備えたものとしたので、卓球ボールを打撃した際に、不用意に支持棒が抜け落ちるおそれはない。
【図面の簡単な説明】
【０００８】
【図１】本考案の実施例による卓球ボール打撃具の正面図である。
【図２】図１のＡ部拡大断面図である。
【図３】図１のＢ部拡大断面図である。
【図４】図１のＣ部拡大断面図である。
【図５】図１の継手部の拡大断面図である。
【図６】卓球ボールを保持した支持棒の拡大正面図である。
【考案を実施するための形態】
【０００９】
以下、本考案の実施例を図面に基づいて具体的に説明する。本考案の実施例による卓球ボール打撃具１は、基台２、該基台２の中央部に立設される円筒状支柱３、該円筒状支柱３内に挿通される高さ調整用円筒体４、該高さ調整用円筒体４内に挿通される高弾性円筒体５、該高弾性円筒体５内を貫通して上方に突出する高弾性線状体６、上端部に卓球ボール７を貫通して保持したプラスチック製の支持棒８、支持棒８の下端部と前記高弾性線状体６の上端部とを着脱可能に連結する継手９を主要部材とする。
【００１０】
基台２の中央部に雌ねじ１０を形成し、該雌ねじ１０に円筒状支柱３の下端部外周面に形成した雄ねじ１１を螺合して、基台２の中央部に円筒状支柱３を着脱可能に立設する。このとき、ナット１２を締め付けて円筒状支柱３を基台２にしっかり固定する（図２）。円筒状支柱３の上部には、円筒内に挿通される高さ調整用円筒体４の上下位置を調整して卓球ボール７の高さが所望の高さとなるように調整する蝶ねじ１３を設けてある。
なお、基台２の底面には、滑り止めのゴム板１４を貼り付けてある。円筒状支柱３の円筒内の下端には高さ調整用円筒体４が下方へ抜け落ちるのを防止する抜け止め１５を嵌合してある。
【００１１】
高さ調整用円筒体４の上部には、高弾性の円筒体５を挿通し固定する。この高弾性円筒体５内に、高弾性線状体６を挿通し固定する。高弾性線状体６は、高弾性円筒体５の下端部まで挿通してあり、高弾性円筒体５の剛性を高めている。
高弾性線状体６の上端部には、プラスチック製の支持棒８と同径、同材質からなる短寸のアダプター１６を固着してあり、該アダプター１６を介して高弾性線状体６の上端部を継手９に連結してある。
【００１２】
上端部に卓球ボール７を上下方向に貫通して保持したプラスチック製の支持棒８を設けて、該支持棒８の下端部と前記高弾性線状体６の上端部とを継手９を介して着脱可能に連結してある。
【００１３】
支持棒８の卓球ボール７の上下部位には、抜け止め１７，１８を装着して、卓球ボール７が打撃によって支持棒８から抜け落ちないようにしてある。なお上端部側の抜け止め１７は、支持棒８と一体に形成してもよい。プラスチック製の支持棒８は、ゴム硬度（ショアＡ）が７０〜９０度程度のウレタンゴムなどが適度な弾性を有し、卓球ボール７をラケットで打撃した際のしなり具合、元に戻る復元性などが適度で好ましい。
【００１４】
継手９は、継手本体１９内に上下一対の抜け止め防止手段２０，２０を備えたものとなっている。抜け止め防止手段２０は、内端部に屈曲した規制爪２１を有する円筒状のストッパー２２、外端部にフランジ部２３を有し規制爪２１の規制を解除・作用する円筒状作用体２４、ストッパー２２と円筒状作用体２４とを継手本体１９内に保持する保持体２５からなる。
【００１５】
符号２６は、継手本体１９の内周壁に形成した規制突起又は規制突条で、抜け止め防止手段２０を継手本体１９内に保持するものである。継手本体１９内には、第１段部２７を形成し、該第１段部２７で抜け止め防止手段２０、パッキン２８を収容している。また、継手本体１９内の中央部には、第２段部２９を形成してあり、該第２段部２９で支持棒８（又はアダプター１６）の端部を規制する。パッキン２８は、ゴム製で、支持棒８（又はアダプター１６）と継手本体１９とが摩擦により回らないようにする。
【００１６】
継手９から支持棒８を抜く際には、図５の右上半部に示すように、円筒状作用体２４のフランジ部２３を押し下げて、規制爪２１を外方に押しやり、支持棒８の外周面と規制爪２１との係合を解除させる。この状態で、支持棒８を継手９から抜き取る。
支持棒８を継手９に差し込む際には、支持棒８を差し込み口から支持棒８の先端が第２段部２９に達するまで差し込む。すると、規制爪２１の先端が支持棒８の外周面に係合して支持棒８が抜けないように作用する。
【００１７】
継手９は抜け止め防止手段２０を備えるので、卓球ボール７の打撃中に卓球ボール７を保持する支持棒８が不用意に抜け落ちることがない。
なお、仮に抜けたとしても支持棒８はプラスチック製であるので、危険性が低く、安全性が確保される。
【００１８】
卓球ボール７をラケットにより打撃すれば、図１の仮想線で示すようにしなり、適度な速さで卓球ボール７は元の位置に戻り、繰り返して打撃することができる。
【００１９】
打撃により卓球ボール７が割れて取り換える際には、卓球ボール７を保持した支持棒８を継手９から抜き取る。次いで、抜け止め１８を支持棒８から抜き取り、卓球ボール７を取り外して新しい卓球ボール７を支持棒８に装着し、抜け止め１８を取付けて卓球ボール７を支持棒８の上端部に保持する。そして、支持棒８の下端部を継手９に連結すれば、割れた卓球ボール７を簡単に取り換えることができる。この場合、卓球ボール７だけ取り換えればよいので、コストもかからない。
【００２０】
円盤状の基台２は、鉄製でその直径が２５０ｍｍ、質量は２．３ｋｇ程度である。円筒状支柱３、高さ調整円筒体４、高弾性円筒体５は鋼製で、高弾性線状体６は焼き入れにより高弾性を示すピアノ線やステンレス線を用いる。
円筒状支柱３は外径が１２ｍｍ、内径が６ｍｍ、長さが約２８０ｍｍ、高さ調整円筒体４は外径が６ｍｍ、内径が４ｍｍ、長さが約３７０ｍｍ、高弾性円筒体５は外径が４ｍｍ、内径が２ｍｍ、長さが約２２０ｍｍ、高弾性線状体６は外径が２ｍｍ、長さが約３９０ｍｍとなっている。
卓球ボール７までの高さは、８５０〜１０８０ｍｍの範囲で調整可能となっている。
卓球ボール７は直径４０ｍｍ、支持棒８は直径６ｍｍ、長さ１４０ｍｍ、アダプター１６は直径６ｍｍ、長さ２０ｍｍとなっている。
なお、これらの数値は、例示であって、適宜変更可能である。
【００２１】
本考案による卓球ボール打撃具１は、あらゆる方向から卓球ボール７をラケットで打撃でき、老若男女を問わず初心者でも、ストレス解消、適度な運動用として、用いることができる。また、卓球の練習に用いることもできる。
【符号の説明】
【００２２】
１  卓球ボール打撃具
２  基台
３  円筒状支柱
４  高さ調整用円筒体
５  高弾性円筒体
６  高弾性線状体
７  卓球ボール
８  支持棒
９  継手
１３  蝶ねじ
１６  アダプター
１７，１８  抜け止め
１９  継手本体
２０  抜け止め防止手段
２１  規制爪
２２  ストッパー
２３  フランジ部
２４  円筒状作用体
２５  保持体
２６  規制突起(規制突条)
２７  第１段部
２８  パッキン
２９  第２段部
【図１】
0003193694.tif 000003
【図２】
0003193694.tif 000004
【図３】
0003193694.tif 000005
【図４】
0003193694.tif 000006
【図５】
0003193694.tif 000007
【図６】
0003193694.tif 000008